(57)【要約】    【課題】この発明は、自動販売機等の機器筐体内部に配設された紙幣識別機の背後にスペースが無い場合であっても、破壊を目的とした外力が紙幣識別機に加わった際に、紙幣識別機及び紙幣を収容した紙幣収納部を直下の筐体内下方へ落下させて紙幣の盗難を防止するようにした紙幣識別機を提供する。  【解決手段】自動販売機20に、外側から外力が加えられたときに、紙幣識別部5及び紙幣収納部6が正面カバー部30から外れる機構を配設し、この機構により紙幣識別部5及び紙幣収納部6は、外側から外力が加えられたときに正面カバー部30から外れて自動販売機内部に落下させるようにした。  【選択図】  図１
2008112270.tif 000002
【特許請求の範囲】
【請求項１】
自動販売機の扉内側に複数のネジで取り付けられた紙幣識別機であって、紙幣挿入口を有するフロントマスクと、該フロントマスクを正面に取付けた正面カバー部と、該正面カバー部の背面に装着された紙幣識別部と紙幣収納部とを少なくとも有する紙幣識別装機において、
外側から外力が加えられたときに、前記紙幣識別部及び紙幣収納部が前記正面カバー部から外れる機構を有し、前記正面カバー部から外れて自動販売機内部に落下することを特徴とする紙幣識別機。
【請求項２】
前記フロントマスクは、強固な板金部材からなる前記正面カバー部に複数本のネジで外側から取り付けられ、さらに前記フロントマスクは前記正面カバー部の内側から複数本のネジで取り付けられることを特徴とする請求項１に記載の紙幣識別機。
【請求項３】
前記外側から外力が加えられたときに、前記紙幣識別部及び紙幣収納部が前記正面カバー部から外れる機構は、前記正面カバー部の左右折り曲げ部に形成された孔と、前記紙幣収容部側面に設けられ、前記孔に嵌着係合する樹脂製スナップ部材と、前記正面カバー部に配設されたラッチ固定機構であることを特徴とする請求項１に記載の紙幣識別機。
【発明の詳細な説明】
【技術分野】
【０００１】
この発明は両替機及び自動販売機等の機器筐体内に配設された紙幣識別機に関し、特に紙幣識別機に収容された紙幣が悪戯により盗難される被害を防止するようにした紙幣識別機に関する。
【背景技術】
【０００２】
両替機及び自動販売機等の機器筐体内に搭載された従来の紙幣識別機1は、図3の正面斜視図、および図4の背面から見た組立分解斜視図で示すように、紙幣挿入口２を有するフロントマスク3と、該フロントマスク3を正面に取付けるとともに、装置1全体を覆う板金カバーで作られた正面カバー部4と、この正面カバー部4の背面に装着され、投入紙幣の搬送及び投入紙幣の判別行なう紙幣識別部5と、同じく正面カバー部4の背面に装着され、前記紙幣識別部5による投入紙幣の判別後、この投入紙幣を搬送する搬送路を含む紙幣収納部6とから構成されている。なお、この紙幣収納部6は、図４で示すように、投入紙幣を収容するスタッカ７と、投入紙幣をこのスタッカ7へ押圧収容する周知の押圧手段が配設されたボックス本体８とから構成されている。またこのボックス本体8はプラスチック等の樹脂成形部品により形成されている。
【０００３】
そして、上述した従来の紙幣識別機１では、図３で示すように、正面カバー部４の上下にそれぞれ各一対づつ形成されたネジ孔4ａとネジ溝4ｂに嵌挿する取付けネジ4本を用いて、当該紙幣識別機1を自動販売機等の機器筐体内側の壁面の所定位置に(扉内面壁を含む)に配設されたネジ止め式の取付け部に螺着させて、紙幣識別機１を自動販売機等の機器筐体内に位置決め支承させるようにしている。
【０００４】
なお、自動販売機本体側には、紙幣識別機1の取付け位置に開口部が設けられ、紙幣識別機1を筐体内の壁面所定位置に取付けると、自動販売機に形成された前記開口部を介して紙幣識別機1の紙幣挿入口2が自動販売機の開口部から露出するようになっている。
【０００５】
また、上述した従来の紙幣識別機１では、図３の正面図で示すように、フロントマスク３は複数本の取付けネジ10等を用いて正面カバー部４に強固に固着されており、また紙幣収納部6も、そのボックス本体8が取付けネジ１１等により正面カバー部４に強固に取付けられている。
【０００６】
なお、図４で示すように、紙幣収納部６のスタッカ７は、その下端に突設された軸7ａを、ボックス本体８の下端に形成された軸受孔8ａ内に嵌挿させることにより、ボックス本体８に対して回動自在に支承されている。また、紙幣識別部５もその下端に突設された軸5ａをボックス本体８の上端に形成された軸受孔8ｂ内に嵌挿させることによりボックス本体８に対して回動自在に支承されている。
【０００７】
また、紙幣識別部５の上面に配設されたラッチ手段20のラッチ爪21が、図３に示す正面カバー部４に形成された係合爪4ｃと係合することにより、常時はその回動が阻止されている。
【０００８】
ところで、ここ数年、自動販売機等の機器筐体内に配設された紙幣識別機の紙幣挿入口へバール等の工具を差し込んで、紙幣識別機を破壊し、スタッカから紙幣を盗む等の悪戯行為が多発している現状がある。
【０００９】
このような問題を解決するため、従来から、紙幣識別機の紙幣挿入口に対し、自動販売機の筐体内部方向へ向かう外力が加わった際に、紙幣識別機全体を自動販売機等の機器筐体内部へ逃がして（落下させて）、内部に保管された投入紙幣を抜き取る被害に遭わないようにした紙幣識別機の取付け構造が、多数提案されている。
【００１０】
このような従来の紙幣識別機の取付け構造として、特開2004-295768公報には、紙幣投入口からバールのような道具類を差し込んで紙幣搬送通路等をこじ開けることによる紙幣の盗難を、比較的簡単な手段を講じることによって確実に防止出来るように工夫した紙幣識別機の取付け装置が開示され、また特許第3761625公報には、紙幣識別機の他端を係止する係留装置を備え、この係留装置は、紙幣識別機の紙幣挿入口側からこの紙幣挿入口ヘ工具等を差し込んで押し込み方向へ力が加えられると、紙幣識別機が後方へ外れるようにしたものも開示されている。
【特許文献１】特開2004-295768公報
【特許文献２】特許第3761625公報
【発明の開示】
【発明が解決しようとする課題】
【００１１】
上述した特開2004-295768公報および特許第3761625公報に記載されたものは、いずれも紙幣識別機にバール等の工具により外力が加えられた時に、自動販売機の扉内側に係止されている紙幣識別機全体を、外力を利用してその紙幣識別機が係止された扉係止部から当該紙幣識別機の背後へ移動させ、その後、当該紙幣識別機全体を脱落させて下方へ落下させる構造となっている。
【００１２】
しかしながら、自動販売機等の機器筐体において、当該機器筐体の扉内側のスペースが狭く、そこに取付けられた紙幣識別機の背後に、当該紙幣識別機全体を脱落させて、下方へ落下させるスペースが確保できない場合があり、その場合は紙幣識別機全体を扉から期待通り外すことができても、その背後に紙幣識別機全体を背後に移動させ、その後下方へ落下させるスペースが無いから、紙幣識別機全体がその取付け位置にとどまり、この場合は紙幣識別機が破壊されて内部に保管された投入紙幣が抜き取られる虞がある。
【００１３】
この発明は上述した事情に鑑み、自動販売機等の機器筐体内部に配設された紙幣識別機の背後にスペースが無い場合であっても、破壊を目的とした外力が紙幣識別機に加わった際に、紙幣識別部及び紙幣を収容した紙幣収納部を直下の筐体内下方へ落下させて紙幣の盗難を可及的に防止するようにした紙幣識別機を提供することを目的とする。  
【課題を解決するための手段】
【００１４】
上述した課題を解決するため、この発明では、自動販売機の扉内側に複数のネジで取り付けられた紙幣識別機であって、紙幣挿入口を有するフロントマスクと、該フロントマスクを正面に取付けた正面カバー部と、該正面カバー部の背面に装着された紙幣識別部と紙幣収納部とを少なくとも有する紙幣識別装機において、外側から外力が加えられたときに、前記紙幣識別部及び紙幣収納部が前記正面カバー部から外れる機構を有し、自動販売機内部に落下させるようにしている。
【発明の効果】
【００１５】
上述した、本願発明に係る紙幣識別機によると、外側から外力が加えられたときに紙幣識別部及び紙幣収納部が正面カバー部から外れる機構を有しているから、紙幣識別機の紙幣挿入口からバール等の工具を用いた窃盗破壊行為が行われた場合、フロントマスクを含む強固な板金の正面カバー部が自動販売機等の機器筐体内に留まったままの状態でも、バール等の工具を用いた窃盗破壊行為に基づく振動等の外力により、紙幣識別部および紙幣収納部は正面カバー部から離脱して、その直下へ簡単に脱落することができ、このため、自動販売機等の機器筐体において、当該機器筐体の扉内側のスペースが狭く、そこに取付けられた紙幣識別機の背後に、当該紙幣識別機全体を脱落させるスペースが確保できない場合であっても、紙幣識別部および紙幣収納部を自動販売機等の機器内の下部隙間に落下させて紙幣収納部内の紙幣の窃盗被害を可及的に回避することができる。
【発明を実施するための最良の形態】
【００１６】
以下、この発明に係る紙幣識別機の一実施例を詳述する。
【００１７】
図１は、この発明に係る紙幣識別機25の背面から見た概念斜視図、図２はその組立分解斜視図を示したものであり、図３、図４と同一部分を同一符号で示す。
【００１８】
この紙幣識別機25でも、従来と同様に、フロントマスク３は複数本の取付けネジを用いて装置25全体を覆う板金カバーで作られた正面カバー部３０の正面に外側から強固に固着されており、さらに前記フロントマスク３は前記正面カバー部30の内側から複数本のネジ80で強固に固着されている。
【００１９】
一方、正面カバー部３０の背面に配設される紙幣収納部6のうち、ボックス本体8と正面カバー部30とは、従来の如くネジ結合ではなく、本願発明に係る外側から外力が加えられたときに紙幣識別部及び紙幣収納部が正面カバー部から外れる機構の構成要素である、簡単に着脱可能なスナップ手段４０を介し互いに係合して取付けられている。
【００２０】
このスナップ手段４０は、図２に示すように、正面カバー部３０に形成された左右折り曲げ部に二箇所づつ、計４箇所に形成された孔である矩形状の係合孔４１と、この各係合孔４１に対向する位置のボックス本体8にそれぞれ突設された樹脂製スナップ部材である４つの係合突起50とから構成されている。
【００２１】
なお、正面カバー部３０には、本願発明に係る外側から外力が加えられたときに紙幣識別部及び紙幣収納部が正面カバー部から外れる機構のもう一方を構成するラッチ固定機構が配設されている。
【００２２】
このラッチ固定機構はラッチ手段６０からなり、このラッチ手段６０ラッチ爪６１が正面カバー部３０に回動自在に支承され、このラッチ爪61のラッチ溝61ａと対向する位置の紙幣識別部５の上面には、当該ラッチ爪６１のラッチ溝61ａが上方から係合する係合突起７０が一対突設されている。
【００２３】
このラッチ固定機構であるラッチ手段６０は、上述したように、正面カバー部３０に配設されたラッチ手段６０を構成する回動自在なラッチ爪６１のラッチ溝61ａが、上方から紙幣識別部５の上面に形成された係合突起７０に係合する構造だから、仮に正面カバー部30が急激に上方に移動すると、ラッチ爪61のラッチ溝61ａも急激に上方へ移動し、これによりラッチ爪61のラッチ溝61ａと紙幣識別部５の係合突起７０との係合は簡単に解除されるようになっている。
【００２４】
次に、上述した紙幣識別機25の作用を説明する。
【００２５】
紙幣識別機25が自動販売機等等の機器筐体内に搭載され市場において、使用可能状態にある時に紙幣識別機25の紙幣収納部6内部に収納された紙幣の奪取を目的として、紙幣識別機25の紙幣挿入口2からバール等の工具を用いた窃盗破壊行為が生じた場合、紙幣挿入口2を設けたフロントマスク3は破壊されるが、このフロントマスク３は強固な板金製の正面カバー部30に従来のごとく螺子で係止されているから、この正面カバー部30に留まっている。
【００２６】
一方、樹脂成形部品による紙幣収納部６のボックス本体8は、外側から外力が加えられたときに紙幣識別部及び紙幣収納部が正面カバー部から外れる機構の構成要素であるスナップ手段４０を介して板金製の正面カバー部30に係合している状態であるから、バール等の工具を用いてフロントマスク3に外力を加えると、その加えたときの振動等の要因により、スナップ手段４０を構成する矩形状の係合孔４１と、この各係合孔４１内に嵌合する係合突起50との嵌着係合が解除されて、正面カバー部30から紙幣収納部６が離脱するとともに、その時、同時に外側から外力が加えられたときに紙幣識別部及び紙幣収納部が正面カバー部から外れる機構のもう一方の構成要素であるラッチ手段６０を構成する紙幣識別部５の上面に形成された係合突起７０とラッチ溝61ａとの係合も前述した構造であるから、バール等の工具によりフロントマスク3が上動すると簡単にその係合が解除される。
【００２７】
このため紙幣収納部６および紙幣識別部５は、その直下に位置する自動販売機等の機器筐体内の下部隙間に落下し、このため紙幣収納部6内の紙幣の窃盗被害を可及的に回避する事ができる。
【産業上の利用可能性】
【００２８】
以上説明したように、本願発明は、自動販売機等の機器筐体内部に配設された紙幣識別機の背後にスペースが無い場合であっても、破壊を目的とした外力が紙幣識別機に加わった際に、紙幣識別部と紙幣を収容した紙幣収納部とを直下の筐体内下方へ落下させて紙幣の盗難を防止するようにした紙幣識別機に利用可能である。
【図面の簡単な説明】
【００２９】
【図１】図１はこの発明に係る紙幣識別機を背面から見た概念斜視図。
【図２】図２はこの発明に係る紙幣識別機を背面から見た組立分解斜視図。
【図３】図３は従来の紙幣識別機を正面から見た概念斜視図。
【図４】図４は従来の紙幣識別機を背面から見た組立分解斜視図。
【符号の説明】
【００３０】
２…紙幣挿入口
３…フロントマスク
５…紙幣識別部
６…紙幣収納部
１０，８０…ネジ
３０…正面カバー部
２５…紙幣識別機
４０…スナップ手段
４１…孔（係合孔）
５０…樹脂製スナップ部材（係合突起）
６０…ラッチ固定機構（ラッチ手段）
６１…ラッチ爪
【図１】
2008112270.tif 000003
【図２】
2008112270.tif 000004
【図３】
2008112270.tif 000005
【図４】
2008112270.tif 000006